(57)【要約】      （修正有）【課題】装着した状態で母指を動かしても、緩まることなくしっかり母指を固定することができ、かつ、形状が小さく装着した時に目立たない関節装具を提供する。【解決手段】母指挿入部５と手首装着部とは長尺状のバンド２に連続する状態で形成され、母指挿入部５は、バンド２の一端部を捻る状態で輪状に交差させてできた重合面部を挿入部用面ファスナー６ａ、６ｂで接合して形成し、手首装着部は、手首に掛けまわしたバンド２を固着して装着するものとした。【選択図】図４
0003122511.tif 000002
【実用新案登録請求の範囲】
【請求項１】
母指を挿入するための母指挿入部と、手首に掛けまわして装着するために手首装着部とを備えた関節装具において、母指挿入部と手首装着部とは長尺状のバンドに連続する状態で形成されたものとし、母指挿入部は、バンドの一端部を捻る状態で輪状に交差させてできた重合面部を挿入部用面ファスナーで接合して形成し、手首装着部は、手首に掛けまわしたバンドを固着することを特徴とする関節装具。
【請求項２】
母指挿入部は、母指挿入側が拡開していることを特徴とする請求項１記載の関節装具。
【請求項３】
母指挿入部は、バンド一端部の捻る方向を左右異ならしめて形成することで、右手用、左手用に使い分けられることを特徴とする請求項１または２記載の関節装具。
【請求項４】
母指装着部を形成するため交差接合される挿入部用面ファスナーは、皮膚に対向する重合上側のものが雌側であることを特徴とする請求項１乃至３の何れか１記載の関節装具。
【請求項５】
母指挿入部は、重合面部を調整することで母指の太さに対応できるようになっていることを特徴とする請求項１乃至４の何れか１記載の関節装具。
【請求項６】
手首装着部の固着による装着は、母指挿入部から突出する状態で設けられたリング状の係止部に挿入した手首装着部を折り返して支持面ファスナーで接合することで行うものとし、係止部の皮膚側面部には、係止部が皮膚に接触することを防止するための接触防止部材が設けられていることを特徴とする請求項１乃至５の何れか１記載の関節装具。
【考案の詳細な説明】
【技術分野】
【０００１】
本考案は、手の母指ＣＭ関節症やリウマチ等の症状のある患者の母指を固定する保存的治療用の関節装具の技術分野に属するものである。
【背景技術】
【０００２】
変形性母子手根中手関節症（以下、母指ＣＭ関節症）は、母指のＣＭ関節の変形性関節症であり、母指ＣＭ関節症の患者は、症状がごく軽度な場合や手術までのあいだ、症状を和らげるため、保存的治療として母子を手のひら側の外転位に固定する関節装具が使用される。
このような関節装具は、母指を固定するにあたり、患者ごとに症状、手の大きさ、手作業の量や質等が相違することを考慮した上でしっかり固定できるように適宜調節することが好ましい。また、関節装具は、装着して外出する際にどうしても目立ってしまうため、なるべく小さい形状として目立たせない配慮がなされることも期待されている。
【０００３】
このような関節装具として、母指を挿入する母指挿入部と、手首に掛け周して装着するための手首装着部とをからなり、これら母指挿入部と手首装着部とを連結して構成したものがある（例えば、特許文献１参照。）。このものは、母指挿入部の大きさを調節ができないものであるため、母指挿入部を、患者ごとに製作することになった場合、費用や手間が掛かるものとなり、量産するとした場合、どうしても母指挿入部をやや大きめに形成する必要があるため母指がきっちり固定されずに母指挿入部内で遊んでしまうといった問題がある。また、挿入部と手首装着部との連結部が一点であるため、母指を動かす負荷が、連結部に集中し易く関節装具が壊れ易いといった問題がある。
そこで、母指挿入部を、手首装着部に着脱自在な帯状のものとすることにより、母指に密着するよう適宜位置合わせして各患者用に関節装具を作る必要を無くすと共に、手首装着部と２点で連結させて負荷が一点に集中しにくい構成としたものがある（例えば、特許文献２参照。）。
【特許文献１】特開２００１−２１８７８１号公報
【特許文献２】特開２００４−２９８３５５号公報
【考案の開示】
【考案が解決しようとする課題】
【０００４】
しかしながらこのものは、母指挿入部を手首装着部に単に挿入部用面ファスナーで止着するものであるため、障害物に接触して剥がれたり、手を動かして挿入部用面ファスナーに所定以上の負荷が生じると母指挿入部が外れてしっかり母指を固定できないといった問題がある。さらに、このような問題を解決する方法として、前記挿入部用面ファスナーを大きくしたり、連結部の上を押圧状に覆う部材を別途設けることが考えられるが、関節装具の形状が必然的に大きくなって装着時に目立ってしまい使用を避ける患者がいるという問題がさらに有り、ここに本考案が解決しようとする課題がある。
【課題を解決するための手段】
【０００５】
本考案は、上記の如き実情に鑑みこれらの課題を解決することを目的として創作されたものであって、請求項１の考案は、母指を挿入するための母指挿入部と、手首に掛けまわして装着するために手首装着部とを備えた関節装具において、母指挿入部と手首装着部とは長尺状のバンドに連続する状態で形成されたものとし、母指挿入部は、バンドの一端部を捻る状態で輪状に交差させてできた重合面部を挿入部用面ファスナーで接合して形成し、手首装着部は、手首に掛けまわしたバンドを固着することを特徴とする関節装具である。
請求項２の考案は、母指挿入部は、母指挿入側が拡開していることを特徴とする請求項１記載の関節装具である。
請求項３の考案は、母指挿入部は、バンド一端部の捻る方向を左右異ならしめて形成することで、右手用、左手用に使い分けられることを特徴とする請求項１または２記載の関節装具である。
請求項４の考案は、母指装着部を形成するため交差接合される挿入部用面ファスナーは、皮膚に対向する重合上側のものが雌側であることを特徴とする請求項１乃至３の何れか１記載の関節装具である。
請求項５の考案は、母指挿入部は、重合面部を調整することで母指太さに対応できるようになっていることを特徴とする請求項１乃至４の何れか１記載の関節装具である。
請求項６の考案は、手首装着部の固着による装着は、母指挿入部から突出する状態で設けられたリング状の係止部に挿入した手首装着部を折り返して支持面ファスナーで接合することで行うものとし、係止部の皮膚側面部には、係止部が皮膚に接触することを防止するための接触防止部材が設けられていることを特徴とする請求項１乃至５の何れか１記載の関節装具である。
【考案の効果】
【０００６】
請求項１の考案とすることにより、母指挿入部と手首装着部とが一本のベルトに形成されるため構造的に簡単で強固なものとできる上、関節装具をコンパクトなものにできて装着時に目立ち難いものとすることができる。しかも母指挿入部は、バンドの一端部を捻って輪状に交差させたものを面ファスナーで接合することでできるため、ベルトを用いながらしっかりと母指を固定するものに簡単にできる。
請求項２の考案とすることにより、母指挿入部を母指の付け根に密着し易い形状とすることができる。
請求項３の考案とすることにより、左右の手の何れにも使用することができる。
請求項４の考案とすることにより、皮膚に対向する重合上側の面ファスナーを雌側にすることで、接触すると抵抗感がある雄側の挿入部用面ファスナーは重合下側となって皮膚に接触することがなく、この結果、装着時の接触感が損なわれることが無い。
請求項５の考案とすることにより、母指挿入部は、面ファスナーの重合面部を調整することで母指の太さに対応させた大きさにでき、この結果、一種類の関節装具であっても、患者の指の太さや症状に対応させた自由度があるものにできる。
請求項６の考案とすることにより、係止部の皮膚側面に接触防止部材を設けて係止部が直接皮膚に接触しないようにできるため、係止部をリング状にしたとして、該リング状係止具の皮膚接触がなく、長時間の使用に適したものにできる。
【考案を実施するための最良の形態】
【０００７】
次に、本考案の実施の形態について、図面に基づいて説明する。図面において、１は母指Ｍを固定するための関節装具であって、該関節装具１は母指Ｍや手首に掛け回された長尺帯状のベルト２と、該ベルト２の一端に取り付けられたリング状の係止部３とを備えて構成されている。ベルト２は伸縮性が少なくて柔軟性がある皮、布、合成繊維等の素材からなり、図１の上側となる一端に前記係止部３が取付けられている。そしてベルト２の一端には、係止部３よりも大きくなっていて、後述するように関節装具１を手に取付けた場合に、係止具３が皮膚に当たって接触するのを防止する接触防止部材４が設けられている。
【０００８】
さらにベルト２の一端側半部には母指挿入部５を形成するための挿入部用面ファスナー６ａ、６ｂが間隙を存して設けられている。一方の挿入部用面ファスナー６ａ（本実施の形態では雌側面ファスナー）は、係止部３に隣接する状態で図１（Ａ）で示す一方の面（係止具３に対して接触防止部材４が設けられる側の面）２ａに係止部３と隣接する状態で設けられ（縫着され）、他方の挿入部用面ファスナー６ｂ（本実施の形態では雄側面ファスナー）は、図１（Ｂ）で示す他方の面２ｂに、一方の挿入用面ファスナー６ａとは間隙を存して設けられている。
【０００９】
一方、ベルト２の他半側半部には、関節装具１を手首に支持するための支持用面ファスナー７ａ、７ｂが長さ方向に隣接する状態で設けられているが、本実施の形態では他端側の支持用面ファスナー７ａが雄側で、一端側の支持用面ファスナー７ｂが雌側となっている。
【００１０】
そしてこのように構成される関節装具１を手に装着する手順の一例を、図１〜図４に示して説明する。ここでは右手に装着する場合について詳説し、左手に装着する場合については右手の場合と線対称にして装着できるので、図面に示すにとどめ、その詳細については省略する。まず、母指挿入部５を形成することになるが、該母子挿入部５は、図１（Ｂ）に示す状態のベルト２、つまり挿入部用面ファスナー６ａが下向きで挿入部用面ファスナー６ｂが上向きの状態のベルトの挿入部用面ファスナー６ａ部位を右手で持ち、挿入部用面ファスナー６ｂを左手で持った状態で、挿入部用面ファスナー６ａが左向きとなるようにベルト２を捻っていって、挿入部用面ファスナー６ａが挿入部用面ファスナー６ｂの上側に重合するようにしてベルト２を交差させて面ファスナー６ａ、６ｂ同志を接合させる（図２（Ａ）参照）ことで、母指根部形状に対応した形状である下側が拡開した輪状の母指挿入部５が形成される。尚、前記ベルト２の交差部分は重合面部２ｃであり、重合面部２ｃから延出するベルト２の両端側は、母指挿入部５から連続する状態で形成され手首に掛けまわされる手首装着部２ｄとなっている。尚、ベルト２の一端延出側は係止部３が母指挿入部５から突出する状態で連続している。
【００１１】
そしてこのように形成された母指挿入部５に右手母指Ｍを下側から挿入する（図２（Ｂ）参照）と、関節装具１は、係止部３が右手の甲側に位置して接触防止部材４が皮膚に接触し、挿入部用面ファスナー６ａが皮膚側を向いて一部が皮膚と接触する状態になる。因みに、該形成される母指挿入部５は、両挿入部用面ファスナー６ａ、６ｂの接合位置を調整することで、母指Ｍの大きさに対応できるようになっている。
【００１２】
続いて、手のひら側にある関節装具１の他端側を、小指側に向く状態で手首に巻き掛け（図３（Ａ）参照）、さらに続いて手の甲にまで巻き掛け、該甲側に位置した関節装具１の他端部を係止部３に挿入してから折り返した後、折り返し端側を軽く引っ張って手首に掛け回したバンド２に、軽い緊張感を持たせる状態にして支持用面ファスナー７ａ、７ｂ同志を重合させて接合させ、これによって１の手への装着が終了する。因みに、支持用面ファスナー７ａ、７ｂの接合位置の調節により、手首の大小に対応できるようになっている。
尚、本実施の形態では、挿入部用面ファスナー６ａをベルト２の一方の面２ａに逢着し、挿入部用面ファスナー６ｂを他方の面２ｂに縫着されているが、挿入部用面ファスナー６ａ、６ｂをそれぞれ本実施の形態のベルト２の縫着面とは逆になる構成としてもよく、このようにしたものでは、母指挿入部５を、重合面部２ｃの交差が本実施の形態とは逆になるようにして形成する（右手に装着する場合には、ベルト２の一端側が皮膚に接触する側として重合面部２ｃを形成する）ことになる。
【００１３】
叙述の如く構成された本考案の実施の形態において、母指挿入部５と手首装着部２ｄとが長尺状のバンド２に一連状に連続する状態で形成され、そして母指挿入部５は、バンド２の一半部を捻る状態で輪状に交差させることでできた重合面部２ｃを挿入部用面ファスナー６ａ、６ｂで接合して形成し、手首装着部２ｄは、バンド２の他半部を手首に掛けまわすことでできることになって、従来のように母指挿入部５と手首装着部２ｄとを別々の部材を用いて連結形成する必要がなく、一本のバンド２を用いて簡単にでき、この結果、構造的に強固なものとできる。しかもバンド２の一半部によって形成される母指挿入部５は、バンドの一端部を捻って輪状に交差させたものを挿入部用面ファスナー６ａ、６ｂで接合するという単純な作業でできるため、バンド２を用いながらしっかりと母指を固定するものに簡単にできる。さらに、関節装置１は、母指挿入部５と手首装着部２ｄとをバンド２に形成することができるため、小さくコンパクトなものにできて装着時に目立ち難いものとすることができる。
【００１４】
また、母指挿入部５は、前記捻って形成された重合部位を挿入部用面ファスナー６ａ、６ｂで接合するため、母指Ｍの挿入側が拡開したものとなって、母指Ｍを挿入したときに母指Ｍの付け根に密着してフィット感の優れたものになる。
さらに、母指挿入部５は、バンド２一端部の捻る方向を左右異ならしめて形成することで右手用、左手用に使い分けられる結果、一種類を用意することで、両手にそれぞれ使用できて、各手専用のものを製造する必要が無い。
またさらに、挿入部用面ファスナー６ａ、６ｂは、母指挿入部５を形成するにあたり皮膚に対向する重合上側のものが雌側であるため、触れると抵抗感のある雄側が重合下側となってファスナー面が上を向くことになり、このため雄側が皮膚に接触することがなく、長期間の使用にも耐えられることになる。
【００１５】
また、母指挿入部５は、挿入部用面ファスナー６ａ、６ｂの重合面部２ｃの位置を調整することが大きさの調整ができるため、一種類のもので患者の母指Ｍの太さや症状に対応できることになる。
さらに、手首に掛けまわした手首装着部２ｄの固着は、母指挿入部５から突出する状態で設けられたリング状の係止部３に挿入した手首装着部２ｄを折り返して装着部用面ファスナー７ａ、７ｂで接合することで行うものであるが、係止部３の皮膚側面部には、係止部３が皮膚に接触することを防止するための接触防止部材４が設けられているため、係止部３をリング状に形成しても、該係止部３を手に接触しないようにして保護できることとなって、長時間の使用しても痛みを感じ難いものとすることができる。
【図面の簡単な説明】
【００１６】
【図１】（Ａ）、（Ｂ）、（Ｃ）はそれぞれ関節装具の正面図、背面図、側面図である。
【図２】（Ａ）、（Ｂ）はそれぞれ関節装具を右手に装着する場合の装着工程概略図であり、（Ｃ）、（Ｄ）はそれぞれ関節装具を左手に装着する場合の装着工程概略図である。
【図３】（Ａ）、（Ｂ）はそれぞれ関節装具を右手に装着する場合の装着工程概略図であり、（Ｃ）、（Ｄ）はそれぞれ関節装具を左手に装着する場合の装着工程概略図である。
【図４】（Ａ）、（Ｂ）は関節装具を右手に装着した状態を示す甲側、掌側の使用態様図であり、（Ｃ）、（Ｄ）はそれぞれ関節装具を左手に装着した状態を示す甲側、掌側の使用態様図である。
【符号の説明】
【００１７】
１              関節装具
２              ベルト
２ａ            一方の面
２ｂ            他方の面
２ｃ            重合面部
２ｄ            手首装着部
３              係止部
４              接触防止部材
５              母指挿入部
６ａ、６ｂ      挿入部用面ファスナー
７ａ、７ｂ      支持用面ファスナー
Ｍ              母指
【図１】
0003122511.tif 000003
【図２】
0003122511.tif 000004
【図３】
0003122511.tif 000005
【図４】
0003122511.tif 000006